(57)【要約】【課題】従来よりも、ユーザが操作するボタンの数を減らすことができるリモートコントローラを提供する。【解決手段】リモートコントローラは、操作ボタンと、操作ボタンの操作により電子機器を操作するための信号を送信する複数の送信部とを有する。複数の送信部から送信される信号の向きはそれぞれ異なる。さらに、複数の送信部から送信される信号はそれぞれ異なる。リモートコントローラの向きをユーザに認知させるために、リモートコントローラ向きがわかるよう、リモートコントローラに彩色してもよいし、形状により認知させてもよい。【選択図】図１
2009038419.tif 000002
【特許請求の範囲】
【請求項１】
操作ボタンと、前記操作ボタンの操作により電子機器を操作するための信号を送信する複数の送信部とを有し、前記複数の送信部から送信される信号の向きがそれぞれ異なることを特徴とするリモートコントローラ。
【請求項２】
前記複数の送信部から送信される信号はそれぞれ異なることを特徴とする請求項１記載のリモートコントローラ。
【請求項３】
前記リモートコントローラの向きをユーザに認知させるために、前記リモートコントローラの向きがわかるよう、リモートコントローラに彩色したことを特徴とする請求項１または２記載のリモートコントローラ。
【請求項４】
前記リモートコントローラの向きをユーザに認知させるために、前記リモートコントローラの向きがわかるような形状をしていることを特徴とする請求項１ないし３のいずれか１記載のリモートコントローラ。
【請求項５】
操作ボタンと、操作ボタンの操作により電子機器を操作するための信号を送信する複数の送信部とを有し、前記複数の送信部から送信される信号の向きがそれぞれ異なるリモートコントローラと、
前記複数の送信部から送信された信号のうち最先に受信した信号を、ユーザが所望する操作に対応した信号であると判断する電子機器とを有することを特徴とする電子機器システム。
【請求項６】
１つの操作ボタンの操作により、複数の送信部から、電子機器に対し、それぞれ異なった動作をさせるための信号を発信することを特徴とするリモートコントローラ。
【請求項７】
１つの操作ボタンの操作により、複数の送信部から、複数の電子機器に対し、それぞれ異なった動作をさせるための信号を発信することを特徴とするリモートコントローラ。
【請求項８】
前記複数の送信部は、それぞれ前記複数の電子機器と１対１に対応していることを特徴とする請求項７記載のリモートコントローラ。
【請求項９】
前記複数の送信部から送信される向きはそれぞれ異なることを特徴とする請求項６ないし８のいずれか一に記載のリモートコントローラ。
【請求項１０】
１つの操作ボタンの操作により、複数の送信部から、電子機器に対し、それぞれ異なった動作をさせるための信号を発信することを特徴とするリモートコントローラと、
前記複数の送信部から送信された信号のうち最先に受信した信号を、ユーザが所望する操作に対応した信号であると判断する電子機器とを有することを特徴とする電子機器システム。
【発明の詳細な説明】
【技術分野】
【０００１】
本発明は、電子機器を操作するリモートコントローラ（以下、リモコンと称する。）に関し、特に操作ボタンを減らすことのできるリモコンに関する。
【背景技術】
【０００２】
従来から、ユーザによる操作の煩雑性を解消するために、リモコンの操作ボタンの数を減らすための発明が提案されている。その一例として、例えば特許文献１には、モード切り替えボタンを設けることにより、各ボタンから電子機器に送信される信号を切り替えるリモコンが開示されている。なお、この文献記載の発明によるモード切り替えとは、リモコンで操作する対象の電子機器の切り替えであり、モード切り替えにより、各ボタンの押下により送信される信号が、切り替えられたモードに対応する信号となる。
【０００３】
【特許文献１】特開平３−５３７９８号公報
【発明の開示】
【発明が解決しようとする課題】
【０００４】
ところで、特許文献１記載の発明では、モード切り替えボタンが結局必要であり、依然として、ボタンの数によるユーザによるリモコン操作の煩雑性を解消する余地がある。
【０００５】
そこで、本発明は、特許文献１記載の発明よりボタンの数を減らすことができるリモコンを提供することを目的とする。
【課題を解決するための手段】
【０００６】
本発明の第１のリモートコントローラは、操作ボタンと、操作ボタンの操作により電子機器を操作するための信号を送信する複数の送信部とを有し、前記複数の送信部から送信される信号の向きがそれぞれ異なることを特徴とする。
【０００７】
本発明の第２のリモートコントローラは、１つの操作ボタンの操作により、複数の送信部から、電子機器に対し、それぞれ異なった動作をさせるための信号を発信することを特徴とする。
【０００８】
本発明の第３のリモートコントローラは、１つの操作ボタンの操作により、複数の送信部から、複数の電子機器に対し、それぞれ異なった動作をさせるための信号を発信することを特徴とする。
【０００９】
本発明の第１の電子機器システムは、操作ボタンと、操作ボタンの操作により電子機器を操作するための信号を送信する複数の送信部とを有し、前記複数の送信部から送信される信号の向きがそれぞれ異なるリモートコントローラと、前記複数の送信部から送信された信号のうち最先に受信した信号を、ユーザが所望する操作に対応した信号であると判断する電子機器とを有することを特徴とする。
【００１０】
本発明の第２の電子機器システムは、操作ボタンと、操作ボタンの操作により電子機器を操作するための信号を送信する複数の送信部とを有し、前記複数の送信部から送信される信号の向きがそれぞれ異なるリモートコントローラと、前記複数の送信部から送信された信号のうち最先に受信した信号を、ユーザが所望する操作に対応した信号であると判断する電子機器とを有することを特徴とする。
【００１１】
本発明の第３の電子機器システムは、１つの操作ボタンの操作により、複数の送信部から、電子機器に対し、それぞれ異なった動作をさせるための信号を発信することを特徴とするリモートコントローラと、前記複数の送信部から送信された信号のうち最先に受信した信号を、ユーザが所望する操作に対応した信号であると判断する電子機器とを有することを特徴とする。
【発明の効果】
【００１２】
本発明によれば、従来に比べてボタンの数を減らすことにより、ユーザによるリモコンの操作の煩雑性を軽減することができるリモコンを提供することができる。
【発明を実施するための最良の形態】
【００１３】
以下、図面を参照して本発明を実施するための最良の形態について説明する。図１は、本発明の実施の形態のリモコン１０を説明するための外観図であり、図２は、本実施の形態のリモコン１０を説明するためのブロック図である。なお、説明を簡略化するために、本実施の形態では、リモコンの操作ボタンを１つにして説明するが、複数あっても以下に説明される動作は同じである。
【００１４】
まず、本実施の形態のリモコンの概略を説明する。本発明のリモコンでは、複数の送信部を設け、リモコンのボタンを押下すると、各送信部から別々の信号が発信されるものである。もちろん、各送信部から発信される信号の向きは異なっている。以下、詳細に説明する。
【００１５】
図１及び図２を参照すると、リモコン１０はボタン１１、第１送信部１２、第２送信部１３、及び、送信制御部１４を有している。第１送信部１２及び第２送信部１３は、ボタン１１が押下されると、送信制御部１４の制御により異なる信号を発信する。ここで、送信部１２及び送信部１３から発信される信号は異なる信号であり、それぞれボタン１１に対応付けられている信号であり、例えば赤外線である。
【００１６】
ここで、送信部１２及び送信部１３から送信される信号の例を説明すると、送信部１２はＴＶを操作するための信号、例えば、チャンネル切り替えのための信号、が送信され、送信部１３からビデオを操作するための信号、例えば、早送りをするための信号が送信される。
【００１７】
このような場合、ユーザは、ＴＶを操作する場合には、送信部１２をＴＶに向けてリモコン１０を操作し、ビデオを操作する場合には、送信部１３をビデオに向けてリモコン１０を操作する。このようにすれば、信号自体は２つ送信されるものの、リモコン１０の向きにより操作される機器が特定され、所望の機器が動作することになる。
【００１８】
また、リモコン１０で単一の機器を操作することもできる。例えば、リモコン１０で操作する機器がビデオであった場合、ボタン１１を押下すると送信部１２からは例えば早送りの信号が送出され、送信部１３からは巻き戻しの信号が送出される。このようにすれば、信号自体は２つ送信されるものの、リモコン１０の向きによりビデオに所望の動作をさせることができる。
【００１９】
さらに、図１に示したリモコン１０は、ほぼ直方体形状となっており、これでは、ユーザが、リモコンをどちらに向ければ所望の機器を操作できるのかわかりにくい。そこで、リモコンに単に向きを示す矢印を表記しておいたり、図１に示すように色分け（斜線部を別の色）したりすることにより、ユーザに視覚的に伝える方法がある。もちろん、形状により、例えば、送信部１１方向と送信部１２方向とで、リモコン１０の高さを変えるなどして、触覚的にユーザに伝えることもできる。
【００２０】
ここで、図３を参照すると、リモコン２０は三角柱形状（図は上面図）をしており、頂点と、対向する辺近傍とに、それぞれ送信部２２及び送信部２３が設けられている。もちろん、ユーザによるボタン２１の押下により送信部２２から発信される信号の向きと、送信部２３から発信される信号の向きとは異なる。この例は、触覚的にリモコン２０の向きをユーザに伝える一例である。
【００２１】
次に、これまでは１つのボタンの押下により発信される信号が２つの例を説明したが、１つのボタンにより、３つ以上の信号が、３つ以上の送信部から発せられてもよい。例えば、図４は、六角柱に形成されたリモコン３０を上面から見た図であるが、図４を参照すると、各頂点に送信部があり、ユーザにより、１つのボタンの押下によりそれぞれ異なる信号が送信される。このリモコン３０の向きをユーザに認知させるために、色分け等の視覚的な方法を採用してもよいし、向きによる形状の変更により、ユーザに触覚的に向きを伝える方法を採用してもよい。なお、６つの送信部から送信される信号は互いに違う方向に送信される。
【００２２】
ここで、上述したリモコンで操作される電子機器が１つの場合、複数の送信部から送信された信号のうち、意図しない信号が壁等の反射等により電子機器に入力されてしまう場合が想定される。その場合には、電子機器に最初に到達した信号、すなわち、電子機器が最初に受信した信号を、ユーザが所望する信号であると判断する。
【００２３】
以上説明したとおり、本実施の形態によれば、従来に比べて、リモコンのボタンの数を減らすことができる。
【００２４】
なお、ボタンはメンブレンスイッチなど機械的なものでもよく、タッチパネルなど電子的なものでもよい。
【図面の簡単な説明】
【００２５】
【図１】本実施の形態のリモコン１０を説明するための外観図である。
【図２】本実施の形態のリモコン１０を説明するためのブロック図である。
【図３】三角柱形状のリモコンを説明するための外観図である。
【図４】六角柱形状のリモコンを説明するための外観図である。
【符号の説明】
【００２６】
１０  リモコン
１１  ボタン
１２  第１送信部
１３  第２送信部
１４  送信制御部
２０  リモコン
２１  ボタン
２２  第１送信部
２３  第２送信部
３０  リモコン
【図１】
2009038419.tif 000003
【図２】
2009038419.tif 000004
【図３】
2009038419.tif 000005
【図４】
2009038419.tif 000006